(57)【特許請求の範囲】
【請求項１】
カッターポストとその外周に張架される、切削攪拌爪が突設された無端チェインからなる掘溝装置を用い、掘削土と固化材を攪拌・混合して構築される地盤改良体であり、壁状に連続する鉛直地盤改良体と、鉛直地盤改良体の頂部に接続し、スラブ状、もしくは梁状に連続する水平地盤改良体とからなるＴ形乃至逆Ｌ形の鉛直断面形状をし、該水平地盤改良体の少なくとも一部は鉛直地盤改良体の構築時に、無端チェインの循環に伴って表層地盤に溢れ出た掘削土と固化材からなる改良土である連続二面地盤改良体が、隣接する連続二面地盤改良体の各水平地盤改良体間に距離をおいた状態で、鉛直地盤改良体の厚さ方向に配列し、隣接する連続二面地盤改良体の水平地盤改良体間に掘削土と固化材からなる改良土が充填されて、もしくは水平地盤改良体間の表層地盤に対して地盤改良が施されて隣接する水平地盤改良体が連続して構成される連続二面地盤改良体。
【請求項２】
カッターポストとその外周に張架される、切削攪拌爪が突設された無端チェインからなる掘溝装置を用いて、掘削土と固化材を攪拌・混合して構築される地盤改良体であり、壁状に連続する鉛直地盤改良体と、鉛直地盤改良体の頂部に接続し、スラブ状、もしくは梁状に連続する水平地盤改良体とからなるＴ形乃至逆Ｌ形の鉛直断面形状をし、該水平地盤改良体の少なくとも一部は鉛直地盤改良体の構築時に、無端チェインの循環に伴って表層地盤に溢れ出た掘削土と固化材からなる改良土である連続二面地盤改良体における該鉛直地盤改良体が交差する方向の二方向に構築されている連続二面地盤改良体。
【請求項３】
カッターポストとその外周に張架される、切削攪拌爪が突設された無端チェインからなる掘溝装置を用いて掘削土と固化材を攪拌・混合して構築される地盤改良体であり、壁状に連続する鉛直地盤改良体と、鉛直地盤改良体の頂部に接続し、スラブ状、もしくは梁状に連続する水平地盤改良体とからなるＴ形乃至逆Ｌ形の鉛直断面形状をし、該水平地盤改良体の少なくとも一部は鉛直地盤改良体の構築時に、無端チェインの循環に伴って表層地盤に溢れ出た掘削土と固化材からなる改良土である連続二面地盤改良体を構築する方法であり、
水平地盤改良体構築位置の表層地盤を連続的に掘削・排土して溝を形成した後、その溝に沿い、無端チェインを循環させながら掘溝装置を移動させ、掘削土と固化材を攪拌・混合して鉛直地盤改良体を築すると共に、無端チェインの循環に伴って表層地盤に溢れ出た掘削土と固化材からなる改良土を前記溝内に充填させて水平地盤改良体を構築する連続二面地盤改良体の構築方法。
【請求項４】
カッターポストとその外周に張架される、切削攪拌爪が突設された無端チェインからなる掘溝装置を用いて掘削土と固化材を攪拌・混合して構築される地盤改良体であり、壁状に連続する鉛直地盤改良体と、鉛直地盤改良体の頂部に接続し、スラブ状、もしくは梁状に連続する水平地盤改良体とからなるＴ形乃至逆Ｌ形の鉛直断面形状をし、該水平地盤改良体の少なくとも一部は鉛直地盤改良体の構築時に、無端チェインの循環に伴って表層地盤に溢れ出た掘削土と固化材からなる改良土である連続二面地盤改良体を二方向に構築する方法であり、
無端チェインを循環させながら掘溝装置を移動させ、掘削土と固化材を攪拌・混合する作業を繰り返して並列する複数の鉛直地盤改良体を構築した後、その鉛直地盤改良体に交差する方向に、水平地盤改良体の構築位置の表層地盤を連続的に掘削・排土する作業を繰り返して並列する複数の溝を形成し、その各溝毎に、溝に沿って無端チェインを循環させながら掘溝装置を移動させ、掘削土と固化材を攪拌・混合して鉛直地盤改良体を構築すると共に、無端チェインの循環に伴って表層地盤に溢れ出た掘削土と固化材からなる改良土を前記溝内に充填させて水平地盤改良体を構築する連続二面地盤改良体の構築方法。
【請求項５】
カッターポストとその外周に張架される、切削攪拌爪が突設された無端チェインからなる掘溝装置を用いて掘削土と固化材を攪拌・混合して構築される地盤改良体であり、壁状に連続する鉛直地盤改良体と、鉛直地盤改良体の頂部に接続し、スラブ状、もしくは梁状に連続する水平地盤改良体とからなるＴ形乃至逆Ｌ形の鉛直断面形状をし、該水平地盤改良体の少なくとも一部は鉛直地盤改良体の構築時に、無端チェインの循環に伴って表層地盤に溢れ出た掘削土と固化材からなる改良土である連続二面地盤改良体を二方向に構築する方法であり、
水平地盤改良体の構築位置の表層地盤を連続的に掘削・排土する作業を繰り返して並列する複数の溝を形成し、その各溝毎に、溝に沿って無端チェインを循環させながら掘溝装置を移動させ、掘削土と固化材を攪拌・混合して鉛直地盤改良体を構築すると共に、無端チェインの循環に伴って表層地盤に溢れ出た掘削土と固化材からなる改良土を前記溝内に充填させて水平地盤改良体を構築し、並列する複数の連続二面地盤改良体を構築した後、更にその連続二面地盤改良体に交差する方向に表層地盤を連続的に掘削・排土する作業を繰り返して並列する複数の溝を形成し、その各溝毎に、溝に沿って無端チェインを循環させながら掘溝装置を移動させ、掘削土と固化材を攪拌・混合して鉛直地盤改良体を構築すると共に、無端チェインの循環に伴って表層地盤に溢れ出た掘削土と固化材からなる改良土を前記溝内に充填させて水平地盤改良体を構築する連続二面地盤改良体の構築方法。
【発明の詳細な説明】
【０００１】
【発明の属する技術分野】
この発明は掘溝式地盤改良機によりＴ形乃至逆Ｌ形の鉛直断面形状に構築される連続二面地盤改良体とその構築方法に関するものである。
【０００２】
【従来の技術及び発明が解決しようとする課題】
切削攪拌爪が突設された無端チェインをカッターポストの外周に循環自在に張架した掘溝装置を持つ、特開平５-17946号，特開平5-280043号，特開平5-280044号，特開平9-287131号等のような掘溝式地盤改良機は掘溝装置をベースマシン等に支持させたまま、水平方向に移動させながら無端チェインを循環させることにより、切削攪拌爪によって切削された掘削土と固化材を攪拌・混合し、壁状に連続する地盤改良体を構築する。
【０００３】
この連続地盤改良体は主に軟弱地盤上の地上構造物その他の構造物を支持する目的で構築されるが、特に軟弱地盤や液状化の可能性のある地盤を強化する目的で構築される場合には、地盤改良体による地盤の拘束効果を上げるために、並列して、もしくは格子状に交差する形で構築される。その場合はトラフィカビリティを確保するのみならず、隣接する地盤改良体の頂部間で水平力が伝達できるよう、あるいは頂部における曲げ剛性や支持力を増すために、地盤改良体の頂部を別の地盤改良体によって連結する、または頂部に接続して版状の地盤改良体を構築することが行われる。
【０００４】
この場合の最小単位の地盤改良体は壁状の鉛直地盤改良体と梁状、もしくはスラブ状の水平地盤改良体からＴ形乃至逆Ｌ形の断面形状に形成されるが、この形状の地盤改良体を構築するには鉛直地盤改良体の構築後に、改めて表層地盤を地盤改良することが必要になるため、工程数が多くなる。その上、表層地盤の地盤改良時には鉛直地盤改良体の構築時に表層地盤に溢れ出ている改良土を処理する必要が生ずるため、手間を要することに加え、処理される改良土には固化材のセメント分が含まれるため、処分上は産業廃棄物扱いとなり、処分のために多大な労力と莫大な費用を要する。
【０００５】
また水平地盤改良体は表層地盤に構築され、その施工には掘溝装置を用いることができないことから、表層地盤と固化材をバックホウ等により攪拌・混合することで構築されることになるが、掘溝装置の無端チェインを用いる場合より攪拌・混合の効率が低いため、完成する水平地盤改良体の品質は鉛直地盤改良体の品質より相対的に低下する。
【０００６】
この発明は上記背景より、水平地盤改良体の構築のための格別な改良工事を要せず、また改良土の処分を要しない連続二面地盤改良体とその構築方法を提案するものである。
【０００７】
【課題を解決するための手段】
基本となる連続二面改良体、即ち、カッターポストとその外周に張架される、切削攪拌爪が突設された無端チェインからなる掘溝装置を用いて掘削土と固化材を攪拌・混合して構築される地盤改良体であり、壁状に連続する鉛直地盤改良体と、鉛直地盤改良体の頂部に接続し、スラブ状、もしくは梁状に連続する水平地盤改良体とからなるＴ形乃至逆Ｌ形の鉛直断面形状をし、該水平地盤改良体の少なくとも一部は鉛直地盤改良体の構築時に、無端チェインの循環に伴って表層地盤に溢れ出た掘削土と固化材からなる改良土である連続二面地盤改良体を構築する方法は、請求項３に記載したように、水平地盤改良体構築位置の表層地盤を連続的に掘削・排土して溝を形成した後、その溝に沿い、無端チェインを循環させながら掘溝装置を移動させ、掘削土と固化材を攪拌・混合して鉛直地盤改良体を構築すると共に、無端チェインの循環に伴って表層地盤に溢れ出た掘削土と固化材からなる改良土を前記溝内に充填させて水平地盤改良体を構築する。
本発明では鉛直地盤改良体の構築時に、無端チェインの循環に伴って表層地盤に溢れ出た掘削土と固化材からなる改良土をそのまま水平地盤改良体の少なくとも一部として利用することにより、水平地盤改良体を構築するための格別な改良工事を不要にし、もしくは簡略化し、改良土の処分も不要にする。
【０００８】
無端チェインの循環に伴って表層地盤に溢れ出る改良土は鉛直地盤改良体の構築時に地盤中に供給される固化材の量に相当し、少なくともその固化材の供給量に相当する体積分が水平地盤改良体として利用される。表層地盤に溢れ出る改良土は事前に表層地盤を連続的に掘削・排土して形成された溝内に充填され、そのまま水平地盤改良体となる。
【０００９】
従来、廃棄処分されていた改良土が水平地盤改良体の少なくとも一部として利用されることで、産業廃棄物の発生がなくなることに加え、Ｔ形乃至逆Ｌ形鉛直断面形状の連続二面地盤改良体が鉛直地盤改良体を構築する一工程によって完成するため、表層の水平地盤改良体の構築のための格別な地盤改良工事が不要になる、もしくは簡略化される。
【００１０】
また連続二面地盤改良体の構築によって発生する残土は鉛直地盤改良体の構築時に表層地盤に溢れ出る改良土を充填するための溝を形成する際に生ずる、セメント分の混入のない普通土のみであるため、処分は容易で、費用も要しない。
【００１１】
加えて水平地盤改良体は、従来のバックホウ等を用いる場合より攪拌・混合の効率が高い掘溝装置によって攪拌・混合された改良土から構成されるため、水平地盤改良体の品質と鉛直地盤改良体の品質が均一になり、連続二面地盤改良体自体の品質が向上する。
【００１２】
また水平地盤改良体と鉛直地盤改良体が一工程で同時に構築されることで、両者が一体化されるため、外力に対する抵抗力が大きくなる。
【００１３】
基本となる連続二面地盤改良体は前述したように、水平地盤改良体構築位置の表層地盤を連続的に掘削・排土して溝を形成した後、その溝に沿い、無端チェインを循環させながら掘溝装置を移動させ、掘削土と固化材を攪拌・混合して鉛直地盤改良体を構築すると共に、無端チェインの循環に伴って表層地盤に溢れ出た掘削土と固化材からなる改良土を前記溝内に充填させて水平地盤改良体を構築することにより構築される。
【００１４】
基本となる連続二面地盤改良体の水平地盤改良体がスラブ状に連続する形の連続二面地盤改良体は、更に好ましくは、連続二面地盤改良体を鉛直地盤改良体の厚さ方向に配列させ、隣接する連続二面地盤改良体の水平地盤改良体を連続させることにより構成される。
【００１５】
あるいは請求項１に記載の連続二面地盤改良体は、隣接する連続二面地盤改良体の水平地盤改良体間に距離をおいて連続二面地盤改良体を配列させ、隣接する連続二面地盤改良体の水平地盤改良体間に掘削土と固化材からなる改良土を充填することにより、もしくは水平地盤改良体間の表層地盤に対して地盤改良を実施することにより構成される。
即ち、カッターポストとその外周に張架される、切削攪拌爪が突設された無端チェインからなる掘溝装置を用い、掘削土と固化材を攪拌・混合して構築される地盤改良体であり、壁状に連続する鉛直地盤改良体と、鉛直地盤改良体の頂部に接続し、スラブ状、もしくは梁状に連続する水平地盤改良体とからなるＴ形乃至逆Ｌ形の鉛直断面形状をし、該水平地盤改良体の少なくとも一部は鉛直地盤改良体の構築時に、無端チェインの循環に伴って表層地盤に溢れ出た掘削土と固化材からなる改良土である連続二面地盤改良体が、隣接する連続二面地盤改良体の各水平地盤改良体間に距離をおいた状態で、鉛直地盤改良体の厚さ方向に配列し、隣接する連続二面地盤改良体の水平地盤改良体間に掘削土と固化材からなる改良土が充填されて、もしくは水平地盤改良体間の表層地盤に対して地盤改良が施されて隣接する水平地盤改良体が連続して構成される連続二面地盤改良体となる。
【００１６】
また請求項２に記載のような連続二面地盤改良体の鉛直地盤改良体を交差する方向に二方向に構築されている連続二面地盤改良体とすることで、鉛直地盤改良体が格子状に配列した形の連続二面地盤改良体が構成される。
【００１７】
請求項２の連続二面地盤改良体は請求項４に記載のように、掘溝装置により掘削土と固化材を攪拌・混合する作業を繰り返して並列する複数の鉛直地盤改良体を構築した後、その鉛直地盤改良体に交差する方向に、水平地盤改良体の構築位置の表層地盤を連続的に掘削・排土する作業を繰り返して並列する複数の溝を形成し、その各溝毎に、溝に沿って掘溝装置により掘削土と固化材を攪拌・混合して鉛直地盤改良体を構築すると共に、表層地盤に溢れ出た改良土を前記溝内に充填させて水平地盤改良体を構築することにより構築される。
【００１８】
あるいは請求項２の連続二面地盤改良体は請求項５に記載のように、水平地盤改良体の構築位置の表層地盤を連続的に掘削・排土する作業を繰り返して並列する複数の溝を形成し、その各溝毎に、溝に沿って掘溝装置により掘削土と固化材を攪拌・混合して鉛直地盤改良体を構築すると共に、表層地盤に溢れ出た改良土を前記溝内に充填させて水平地盤改良体を構築して並列する複数の連続二面地盤改良体を構築した後、更にその連続二面地盤改良体に交差する方向に表層地盤を連続的に掘削・排土する作業を繰り返して並列する複数の溝を形成し、その各溝毎に、溝に沿って掘溝装置により掘削土と固化材を攪拌・混合して鉛直地盤改良体を構築すると共に、表層地盤に溢れ出た改良土を前記溝内に充填させて水平地盤改良体を構築することにより構築される。
【００１９】
【発明の実施の形態】
図１に掘溝装置１による連続二面地盤改良体７の構築の様子を示す。掘溝装置１はカッターポスト２と、その外周に循環自在に張架される、切削攪拌爪４が突設された無端チェイン３から構成され、ベースマシン５に搭載された油圧シリンダによってカッターポスト２がフレーム６に沿い、ベースマシン５を反力として水平方向に移動させられ、循環する切削攪拌爪４が地盤を溝状に掘削しながら、カッターポスト２から吐出される、もしくは地上から供給される固化材と掘削土を攪拌・混合することにより壁状に連続する地盤改良体を構築する。
【００２０】
連続二面地盤改良体７は掘溝装置１によって直接構築される鉛直地盤改良体８と、鉛直地盤改良体８の頂部に接続し、スラブ状、もしくは梁状に連続する水平地盤改良体９から図２に示すようにＴ形の、乃至は図３に示すように逆Ｌ形の鉛直断面形状に構築され、水平地盤改良体９の少なくとも一部が鉛直地盤改良体８の構築時に、無端チェイン３の循環に伴って表層地盤に溢れ出た掘削土と固化材からなる改良土11で形成される。
【００２１】
掘溝装置１による鉛直地盤改良体８の構築に先立ち、図２に示すように水平地盤改良体９構築位置の表層地盤がバックホウ等の掘削機により連続的に掘削・排土され、溝10が形成される。溝10は鉛直地盤改良体８の構築位置に沿って形成される。
【００２２】
溝10の深さと幅、あるいは断面形状は鉛直地盤改良体８の構築時に表層地盤に発生し、溝10内に充填される改良土11の体積を見込んで決められるが、溝10を形成した状態での安定性の面からは溝10の掘削時に溝10の幅方向両側の地盤が崩壊しない程度に設定され、溝10の深さと幅はそれぞれ0.5 〜1.5m、1.5 〜2.5mが適当である。連続二面地盤改良体７の構築によって発生する残土はこの溝10を形成する際に生ずる、セメント分の混入のない普通土のみである。
【００２３】
溝10の形成後、図１に示すように溝10に沿い、無端チェイン３を循環させながら掘溝装置１を移動させ、掘削土と固化材を攪拌・混合して鉛直地盤改良体８を構築する。鉛直地盤改良体８の幅と深さは単体の連続二面地盤改良体７を組み合わせた形の連続二面地盤改良体70の用途によって決まる。固化材は粉末状とスラリー状のいずれの場合もある。
【００２４】
鉛直地盤改良体８の構築時には無端チェイン３の循環に伴い、切削攪拌爪４の上昇側から、供給される固化材の体積に相当する量の掘削土と固化材の混合物である改良土11が溝10内に溢れ出し、そのまま溝10内に溜まり、充填される。改良土11は固化材との混合物であり、自硬性があるため、溝10内で自然に硬化し、水平地盤改良体９の少なくとも一部となる。
【００２５】
改良土11によって溝10内の空間を完全に埋めきれない場合は、溝10内の空隙の程度によって溝10の掘削時に発生した普通土が埋め戻される、もしくは溝10内に埋め戻された普通土に別途固化材が添加され、両者が攪拌・混合される、あるいは埋め戻される前の普通土に固化材が添加され、攪拌・混合された状態で埋め戻される。改良土11の他に、普通土と固化材の混合物が溝10内に充填される場合は、溝10の全高に亘って水平地盤改良体９が構築されることになる。
【００２６】
図４は単体の連続二面地盤改良体７を鉛直地盤改良体８の厚さ方向に隣接して配列させ、隣接する連続二面地盤改良体７，７の水平地盤改良体９，９を連続させた場合、図５は単体の連続二面地盤改良体７を鉛直地盤改良体８の厚さ方向に距離をおき、隣接する水平地盤改良体９，９間に間隔を隔てて配列させた場合を示す。
【００２７】
図４の場合、隣接する連続二面地盤改良体７，７の水平地盤改良体９，９は互いに接するように、もしくは重複するように施工される。図５の場合は必要により、図６に示すように隣接する連続二面地盤改良体７，７の水平地盤改良体９，９間に掘削土と固化材からなる改良土11が充填されることで、もしくは水平地盤改良体９，９間の表層地盤に対して地盤改良が施されることで、隣接する連続二面地盤改良体７，７が連続させられる。
【００２８】
図７，図８は単体の連続二面地盤改良体７を平面上、格子状に直交させて配列させ、後述のように各種構造物の基礎として利用される形の連続二面地盤改良体70を構成した場合を示す。図７は一方向に並列する連続二面地盤改良体７，７を水平地盤改良体９，９間に間隔をおいて配列させ、それに直交する方向に並列する連続二面地盤改良体７，７を、水平地盤改良体９，９を連続させて配列させた場合であり、図８は二方向の各連続二面地盤改良体７，７を水平地盤改良体９，９間に間隔をおいて配列させた場合である。
【００２９】
連続二面地盤改良体７を格子状に配列させて構成される連続二面地盤改良体70は、掘溝装置１により一方向に並列する複数の鉛直地盤改良体８を構築した後、それに直交する方向に並列する複数の溝10を形成し、その各溝10毎に、溝10に沿って掘溝装置１により鉛直地盤改良体８を構築すると共に、溝10内に溢れ出た改良土11をそのまま充填させて水平地盤改良体９を構築することにより、もしくは一方向に並列する複数の溝10を形成した後に、並列する複数の連続二面地盤改良体７を構築し、更にその連続二面地盤改良体７に直交する方向に並列する複数の連続二面地盤改良体７を構築することにより構成される。図７，図８は後者の方法により連続二面地盤改良体70を構成した場合を示す。
【００３０】
図９は図７、もしくは図８に示す格子状の連続二面地盤改良体70を盛土構造物や擁壁、アバット等を支持する基礎として使用した場合を、図10は建築構造物の基礎として使用した場合を示す。いずれの場合も単体の連続二面地盤改良体７が格子状に配列することで、砂質地盤に対して実施すれば液状化防止効果が期待できる。図11は既設の堤防等の土構造物の液状化防止策として連続二面地盤改良体70を使用した場合を示す。
【００３１】
【発明の効果】
鉛直地盤改良体の構築時に、無端チェインの循環に伴って表層地盤に溢れ出た掘削土と固化材からなる改良土をそのまま水平地盤改良体の少なくとも一部として利用するため、鉛直地盤改良体を構築する一工程によってＴ形乃至逆Ｌ形の鉛直断面形状の連続二面地盤改良体を完成させることができ、表層の水平地盤改良体の構築のための格別な地盤改良工事を不要に、もしくは簡略化できる。
【００３２】
また従来、廃棄処分されていた改良土が水平地盤改良体の少なくとも一部として利用されることで、産業廃棄物の発生がなくなる上、連続二面地盤改良体の構築によって発生する残土が改良土を充填するための溝を形成する際に生ずる、セメント分の混入のない普通土のみであるため、処分は容易で、費用も要しない。
【００３３】
更に水平地盤改良体は、従来のバックホウ等を用いる場合より攪拌・混合の効率が高い掘溝装置によって攪拌・混合された改良土から構成されるため、水平地盤改良体の品質と鉛直地盤改良体の品質が均一になり、連続二面地盤改良体自体の品質が向上する。
【００３４】
また水平地盤改良体と鉛直地盤改良体が一工程で同時に構築されることで、両者が一体化されるため、外力に対する抵抗力が大きい。
【００３５】
Ｔ形乃至逆Ｌ形断面の連続二面地盤改良体が一工程によって構築できることで、格子状に配列させた形の連続二面地盤改良体も少ない工程数で、すなわち短期に完成させることができるため、各種構造物の基礎として採用する上で、工期上の障害がなくなり、利用の幅が広がる他、砂質地盤に対して実施する場合は液状化防止策にもなる。
即ち、請求項２に記載のような連続二面地盤改良体の鉛直地盤改良体を交差する方向に二方向に構築されている連続二面地盤改良体は、連続二面地盤改良体が格子状に配列することで、砂質地盤に対して実施すれば液状化防止効果が期待できる。
単体の連続二面地盤改良体を鉛直地盤改良体の厚さ方向に距離をおき、隣接する水平地盤改良体間に間隔を隔てて配列させた場合、隣接する連続二面地盤改良体の水平地盤改良体間に掘削土と固化材からなる改良土が充填されることで、もしくは水平地盤改良体間の表層地盤に対して地盤改良が施されることで、隣接する水平地盤改良体が連続して構成された請求項１に示した連続二面地盤改良体とすると、この場合も無端チェインの循環に伴って表層地盤に溢れ出た掘削土と固化材からなる改良土をそのまま水平地盤改良体とする部分の水平地盤改良体が鉛直地盤改良体と一工程で同時に構築されることで、両者が一体化されるため、外力に対する抵抗力が大きくなり、更に鉛直地盤改良体と一工程で同時に構築された水平地盤改良体間が掘削土と固化材からなる改良土が充填されることで、もしくは水平地盤改良体間の表層地盤に対して地盤改良が施されることで連続させられているので、鉛直地盤改良体と一工程で同時に構築された水平地盤改良体間に間隔を隔てて配列させ、該水平地盤改良体間を連続化させない場合に比して外力に対する抵抗力が大きい。
この場合も無端チェインの循環に伴って表層地盤に溢れ出た掘削土と固化材からなる改良土をそのまま水平地盤改良体とする部分の水平地盤改良体を構築するための格別な地盤改良工事を不要に、もしくは簡略化できる。
また従来、廃棄処分されていた改良土が水平地盤改良体の少なくとも一部として利用されることで、産業廃棄物の発生がなくなる上、連続二面地盤改良体の構築によって発生する残土が改良土を充填するための溝を形成する際に生ずる、セメント分の混入のない普通土のみであるため、処分は容易で、費用も要しない。
【図面の簡単な説明】
【図１】掘溝装置による鉛直地盤改良体の構築の様子を示した立面図である。
【図２】Ｔ形断面の連続二面地盤改良体の施工要領を示した斜視図である。
【図３】逆Ｌ形断面の連続二面地盤改良体を示した斜視図である。
【図４】隣接する連続二面地盤改良体を接触させて配列させた様子を示した斜視図である。
【図５】隣接する連続二面地盤改良体を間隔を隔てて配列させた様子を示した斜視図である。
【図６】間隔を隔てた連続二面地盤改良体の水平地盤改良体間を連続させた様子を示した断面図である。
【図７】連続二面地盤改良体を格子状に配列させた様子を示した斜視図である。
【図８】連続二面地盤改良体を格子状に配列させた様子を示した斜視図である。
【図９】格子状の連続二面地盤改良体を盛土構造物等の基礎として使用した場合を示した断面図である。
【図１０】格子状の連続二面地盤改良体を建築構造物の基礎として使用した場合を示した断面図である。
【図１１】格子状の連続二面地盤改良体を土構造物の基礎として使用した場合を示した断面図である。
【符号の説明】
１……掘溝装置、２……カッターポスト、３……無端チェイン、４……切削攪拌爪、５……ベースマシン、６……フレーム、７，70……連続二面地盤改良体、８……鉛直地盤改良体、９……水平地盤改良体、10……溝、11……改良土。
【図１】
0003683094.tif 000002
【図２】
0003683094.tif 000003
【図３】
0003683094.tif 000004
【図４】
0003683094.tif 000005
【図５】
0003683094.tif 000006
【図６】
0003683094.tif 000007
【図７】
0003683094.tif 000008
【図８】
0003683094.tif 000009
【図９】
0003683094.tif 000010
【図１０】
0003683094.tif 000011
【図１１】
0003683094.tif 000012